(57)【要約】  半自動化フレキシブル回路コネクタであり、リード線と、上側ハウジングと、下側ハウジングと、挿入スナップ部と、を備え、上側ハウジングにボタンホールが設けられ、ボタンホールにボタンが設けられており、下側ハウジングに回路基板が設置され、回路基板の頂面に弾性シートが設置され、回路基板はリード線の一端に接続され、挿入スナップ部が回路基板の上方に設置され、挿入スナップ部にフレキシブル回路パッドを挿入するキャビティが設置され、挿入スナップ部に二本の弾性アームが平行に設置され、弾性アームの自由端にスナップ鉤が設置され、スナップ鉤は凹部に位置するフレキシブル回路パッドの凹部内にスナップフィットし、フレキシブル回路パッドをスナップフィットして固定させ、フレキシブル回路パッドの底面は回路基板の頂面における弾性シートに密着させ、ボタンが押下された場合、二本の弾性アームを下方に湾曲させ、挿入スナップ部における二つのスナップ鉤をフレキシブル回路パッドの凹部から離脱させる。シンプルな構造で、部品が少なく、フレキシブル接続であり、信頼性が高く、離脱し難い。更なる目的として細動除去の機能を有する。【選択図】図１
2019536195.tif 000002
【特許請求の範囲】
【請求項１】
半自動化フレキシブル回路コネクタであり、リード線と、上側ハウジングと、下側ハウジングと、挿入スナップ部と、を備え、前記上側ハウジングにボタンホールが設けられ、前記ボタンホールにボタンが設けられており、
前記下側ハウジングに回路基板が設置され、前記回路基板の頂面に弾性シートが設置され、前記回路基板は前記リード線の一端に接続され、前記挿入スナップ部が前記回路基板の上方に設置され、前記挿入スナップ部にフレキシブル回路パッドを挿入するキャビティが設置され、前記挿入スナップ部に二本の弾性アームが平行に設置され、各前記弾性アームの自由端にスナップ鉤が設置され、二つの前記スナップ鉤は前記凹部に位置する前記フレキシブル回路パッドの凹部内にスナップフィットし、前記フレキシブル回路パッドをスナップフィットして固定させ、前記フレキシブル回路パッドの底面は前記回路基板の頂面における弾性シートに密着させ、前記ボタンが押下された場合、二本の前記弾性アームを下方に湾曲させ、前記挿入スナップ部における二つの前記スナップ鉤を前記フレキシブル回路パッドの凹部から離脱させる
ことを特徴とする半自動化フレキシブル回路コネクタ。
【請求項２】
前記挿入スナップ部は一体構造であり、前記挿入スナップ部に二本の固定アームが設置され、前記固定アームは、前記弾性アームに平行し、前記弾性アームより高く設置され、前記固定アームと前記弾性アームとの間にフレキシブル回路パッドを挿入する前記キャビティが形成され、前記スナップ鉤に近接し、前記スナップ鉤の外側に位置する突出部は各前記弾性アームの自由端の頂面に設置され、前記ボタンの底部にボタン円柱が設置され、前記ボタンが押下された場合、前記ボタン円柱は下方に位置する前記弾性アームの自由端における突出部を下方へ押さえることを特徴とする請求項１に記載の半自動化フレキシブル回路コネクタ。
【請求項３】
前記挿入スナップ部の後端に前記弾性アームの固定端の頂部に連結する二本のリブが対称に設置され、前記二本のリブは前記上側ハウジング内に位置する上側凹溝に嵌合して固定させ、前記挿入スナップ部において前記弾性アームの下方の底部に二本の円弧状固定ストリップが対称に設置され、前記二本の円弧状固定ストリップは前記下側ハウジング内に位置する下側凹溝に嵌合して固定させることを特徴とする請求項２に記載の半自動化フレキシブル回路コネクタ。
【請求項４】
前記挿入スナップ部は別体構造であり、前記挿入スナップ部は上側挿入スナップ部と、下側挿入スナップ部と、を備え、前記上側挿入スナップ部と前記下側挿入スナップ部とがスナップフィットで連結され、両方の間にフレキシブル回路パッドを挿入する前記キャビティが形成され、前記上側挿入スナップ部と前記ボタンの底部とが連結して一体構造となり、前記二本の弾性アームが前記下側挿入スナップ部に設置され、前記弾性アームと前記上側挿入スナップ部との間にフレキシブル回路パッドを挿入する前記キャビティが形成され、前記スナップ鉤に近接し、前記スナップ鉤の外側に位置する突出部は各前記弾性アームの自由端の頂面に設置され、前記上側挿入スナップ部の前端の底部にボタン円柱が設置され、前記ボタンが押下された場合、前記ボタン円柱は下方に位置する前記弾性アームの自由端における突出部を下方へ押さえることを特徴とする請求項１に記載の半自動化フレキシブル回路コネクタ。
【請求項５】
前記上側挿入スナップ部の後部に二本の連結バーが平行に設置され、各前記連結バーの頂面に固定突出部が設置され、二つの前記固定突出部は前記上側ハウジングにある上側凹溝を嵌合して固定させ、各前記連結バーの底面に条溝が設置され、前記下側挿入スナップ部の後部における二本の固定バーがそれぞれ前記二本の弾性アームの固定端に連結され、二本の前記固定バーの間に一本のトラバースバーによって連結され、各前記固定バーの頂面に前記条溝に対応する凸条が設置され、前記下側挿入スナップ部の前記凸条は前記上側挿入スナップ部の前記条溝を嵌合してスナップフィットされ、各前記固定バーは前記下側ハウジングの下側凹溝に嵌合して固定されることを特徴とする請求項４に記載の半自動化フレキシブル回路コネクタ。
【請求項６】
前記回路基板における前記リード線に接続した回路に抵抗が設置されていることを特徴とする請求項１〜５のいずれか一項に記載の半自動化フレキシブル回路コネクタ。
【請求項７】
前記上側ハウジングの両側にそれぞれ上側ハウジングの滑り止め溝が設置され、前記下側ハウジングの両側にそれぞれ下側ハウジングの滑り止め溝が設置されていることを特徴とする請求項１〜５のいずれか一項に記載の半自動化フレキシブル回路コネクタ。 
【請求項８】
前記上側ハウジングの両側にそれぞれ上側ハウジングの滑り止め溝が設置され、前記下側ハウジングの両側にそれぞれ下側ハウジングの滑り止め溝が設置されていることを特徴とする請求項６に記載の半自動化フレキシブル回路コネクタ。 
【請求項９】
前記挿入スナップ部はプラスチックで射出成形によって形成された一体構造であることを特徴とする請求項１〜３いずれか一項に記載の半自動化フレキシブル回路コネクタ。
【請求項１０】
前記上側挿入スナップ部と前記ボタンとはプラスチックで射出成形によって形成された一体構造であり、前記下側挿入スナップ部はプラスチックで射出成形によって形成された独立部材であることを特徴とする請求項４又は請求項５に記載の半自動化フレキシブル回路コネクタ。
【発明の詳細な説明】
【技術分野】
【０００１】
本発明は、回路コネクタの技術分野に属し、医療用リード線を接続するための電極のコネクタに関し、具体的には、半自動化フレキシブル回路コネクタに関する。
【背景技術】
【０００２】
現在、電子製品がますます小型化にすることに伴い、フレキシブル回路は、湾曲が容易で、配置が便利で、製造コストが安い特徴によって、広く使用されている。通常、装置内部の基板との間の接続は、フレキシブルプリント配線板（FPC）、またはフレキシブルフラットケーブル（FFC）がよく使用されている。市場においてケーブルの柔軟性、軽薄さの需要に従って、装置外部の接続回路もフレキシブル回路を広く使用し始めた。現在、フレキシブル回路の接続は、基板用コネクタによって達成され、フレキシブル回路は基板用コネクタに挿入され、リアロック機構によってフレキシブル回路と導電性アームとが接続されている。
【０００３】
現在、基板用のフレキシブル回路コネクタは、引張強度が不十分という問題があり、回路の両端に張力を印加する場合、フレキシブル回路と導電性アームとが接触不良となり、またはコネクタから離脱して断線し、電子製品使用の信頼性を低減する。そして、フレキシブル回路は、コネクタから挿入や離脱を繰り返して使用することができず、使用が不便なだけでなく、無駄になり易い。また、従来の半自動化フレキシブル回路コネクタの構造が複雑で、加工製造が不便で、製造コストが高い。
【発明の概要】
【発明が解決しようとする課題】
【０００４】
本発明は、従来技術に存在した上記問題を鑑みて、シンプルな構造で、部品が少なく、フレキシブル接続であり、信頼性が高く、離脱し難く、更に細動除去の機能を有する半自動化フレキシブル回路コネクタを提供することを目的とするものである。
【課題を解決するための手段】
【０００５】
本発明の目的は、以下の技術的解決手段によって達成する。
【０００６】
半自動化フレキシブル回路コネクタであり、リード線と、上側ハウジングと、下側ハウジングと、挿入スナップ部と、を備え、前記上側ハウジングにボタンホールが設けられ、前記ボタンホールにボタンが設けられており、前記下側ハウジングに回路基板が設置され、前記回路基板の頂面に弾性シートが設置され、前記回路基板は前記リード線の一端に接続され、前記挿入スナップ部が前記回路基板の上方に設置され、前記挿入スナップ部にフレキシブル回路パッドを挿入するキャビティが設置され、前記挿入スナップ部に二本の弾性アームが平行に設置され、各前記弾性アームの自由端にスナップ鉤が設置され、二つの前記スナップ鉤は前記凹部に位置する前記フレキシブル回路パッドの凹部内にスナップフィットし、前記フレキシブル回路パッドをスナップフィットして固定させ、前記フレキシブル回路パッドの底面は前記回路基板の頂面における弾性シートに密着させ、前記ボタンが押下された場合、二本の前記弾性アームを下方に湾曲させ、前記挿入スナップ部における二つの前記スナップ鉤を前記フレキシブル回路パッドの凹部から離脱させることを特徴とする。
【０００７】
上記の技術的解決手段を改善し、前記挿入スナップ部は一体構造であり、前記挿入スナップ部に二本の固定アームが設置され、前記固定アームは、前記弾性アームに平行し、前記弾性アームより高く設置され、前記固定アームと前記弾性アームとの間にフレキシブル回路パッドを挿入する前記キャビティが形成され、前記スナップ鉤に近接し、前記スナップ鉤の外側に位置する突出部は各前記弾性アームの自由端の頂面に設置され、前記ボタンの底部にボタン円柱が設置され、前記ボタンが押下された場合、前記ボタン円柱は下方に位置する前記弾性アームの自由端における突出部を下方へ押さえることを特徴とする。
【０００８】
上記の技術的解決手段をさらに改善し、前記挿入スナップ部の後端に前記弾性アームの固定端の頂部に連結する二本のリブが対称に設置され、前記二本のリブは前記上側ハウジング内に位置する上側凹溝に嵌合して固定させ、前記挿入スナップ部は前記弾性アームの下方の底部に対称に設置された二本の円弧状固定ストリップに位置し、前記二本の円弧状固定ストリップは前記下側ハウジング内に位置する下側凹溝に嵌合して固定させることを特徴とする。
【０００９】
上記の技術的解決手段を他に改善し、前記挿入スナップ部は上側挿入スナップ部と、下側挿入スナップ部と、を備え、前記上側挿入スナップ部と前記下側挿入スナップ部とが互いに別体構造とされ、前記上側挿入スナップ部と下側挿入スナップ部とがスナップフィットで連結され、両方の間にフレキシブル回路パッドを挿入する前記キャビティが形成され、前記上側挿入スナップ部と前記ボタンの底部とが連結して一体構造となり、前記二本の弾性アームが前記下側挿入スナップ部に設置され、前記弾性アームと前記上側挿入スナップ部との間にフレキシブル回路パッドを挿入する前記キャビティが形成され、前記スナップ鉤に近接し、前記スナップ鉤の外側に位置する突出部は各前記弾性アームの自由端の頂面に設置され、前記上側挿入スナップ部の前端の底部にボタン円柱が設置され、前記ボタンが押下された場合、前記ボタン円柱は下方に位置する前記弾性アームの自由端における突出部を下方へ押さえることを特徴とする。
【００１０】
上記の技術的解決手段をさらに改善し、前記上側挿入スナップ部の後部に二本の連結バーが平行に設置され、各前記連結バーの頂面に固定突出部が設置され、二つの前記固定突出部は前記上側ハウジングにある上側凹溝を嵌合して固定させ、各前記連結バーの底面に条溝が設置され、前記下側挿入スナップ部の後部における二本の固定バーがそれぞれ前記二本の弾性アームの固定端に連結され、二本の前記固定バーの間に一本のトラバースバーによって連結され、各前記固定バーの頂面に前記条溝に対応する凸条が設置され、前記下側挿入スナップ部の前記凸条は前記上側挿入スナップ部の前記条溝を嵌合してスナップフィットされ、各前記固定バーは前記下側ハウジングの下側凹溝に嵌合して固定されることを特徴とする。
【００１１】
上記の技術的解決手段をさらに改善し、前記回路基板における前記リード線に接続した回路に抵抗が設置されていることを特徴とする。
【００１２】
上記の技術的解決手段をさらに改善し、前記上側ハウジングの両側にそれぞれ上側ハウジングの滑り止め溝が設置され、前記下側ハウジングの両側にそれぞれ下側ハウジングの滑り止め溝が設置されていることを特徴とする。
【００１３】
上記の技術的解決手段をさらに改善し、前記挿入スナップ部はプラスチックで射出成形によって形成された一体構造であることを特徴とする。
【００１４】
上記の技術的解決手段をさらに改善し、前記上側挿入スナップ部と前記ボタンとはプラスチックで射出成形によって形成された一体構造であり、前記下側挿入スナップ部はプラスチックで射出成形によって形成された独立部材であることを特徴とする。
【発明の効果】
【００１５】
本発明は、従来技術に比べ、以下の利点及び有益な効果がある。
【００１６】
１．本発明に係る挿入スナップ部の構造は、簡単で合理的な設計で、部品点数を削減することができ、加工製造が容易で、製造コストが低く、使用上便利で、融通性、信頼性を有する。
【００１７】
２．本発明に係るフレキシブル回路パッドを凹部に挿入した後、スナップ鉤はフレキシブル回路パッドの凹部に嵌合し、スナップ鉤をスナップフィットして固定させ、フレキシブル回路パッドが脱離することを防ぎ、フレキシブル回路パッドの底面は回路基板の頂面における弾性シートに密着することを確保した。ボタンが押下された場合、二本の弾性アームを下方に湾曲させ、スナップ鉤をフレキシブル回路パッドの凹部から離脱させ、フレキシブル回路パッドを凹部から押出することを容易にする。
【００１８】
３．本発明は上下側ハウジングの側面に滑り止め溝が設置され、摩擦抵抗を増加させ、ユーザが操作する時、半自動化フレキシブル回路コネクタをしっかりと把持することができることを確保した。
【図面の簡単な説明】
【００１９】
【図１】本発明の実施例１に係る半自動化フレキシブル回路コネクタの組立分解概略図である。
【００２０】
【図２】本発明の実施例１に係る半自動化フレキシブル回路コネクタの挿入スナップ部の構造簡略図である。
【００２１】
【図３】本発明の実施例１に係る組立後の半自動化フレキシブル回路コネクタと挿入前のフレキシブル回路パッドの簡略図である。
【００２２】
【図４】本発明の実施例２に係る半自動化フレキシブル回路コネクタの組立分解概略図である。
【００２３】
【図５】本発明の実施例２に係る半自動化フレキシブル回路コネクタの上下挿入スナップ部の間における凹部を挿入する前のフレキシブル回路パッドの簡略図である。
【００２４】
【図６】本発明の実施例２に係る半自動化フレキシブル回路コネクタの上下挿入スナップ部の間における凹部を挿入する後のフレキシブル回路パッドの簡略図である。
【００２５】
【図７】本発明に係る半自動化フレキシブル回路コネクタにおける回路基板の頂面の斜視図である。
【００２６】
【図８】本発明に係る半自動化フレキシブル回路コネクタにおける回路基板の底面の斜視図である。
【符号の説明】
【００２７】
１  上側ハウジング、１．１  ボタンホール、２  下側ハウジング、３  ボタン、３．１ボタン円柱、４  挿入スナップ部、４．１  弾性アーム、４．１．１  スナップ鉤、４．１．２  突出部、４．２  固定アーム、４．３  円弧状固定ストリップ、４．４  リブ、５  回路基板、５．１  弾性シート、６  リード線、７  ストレインリリーフ、８  フレキシブル回路パッド、８．１  凹部
【００２８】
２１  上側ハウジング、２１．１  ボタンホール、２２  下側ハウジング、２３  ボタン、２４  上側挿入スナップ部、２４．１  プレスポスト、２４．２  連結バー、２４．２．１  条溝、  ２４．２．２  固定突出部、２５  回路基板、２５．１  弾性シート、２６  リード線、２７  下側挿入スナップ部、２７．１  弾性アーム、  ２７．１．１  突出部、２７．１．２  スナップ鉤、２７．２  固定バー、２７．２．１  凸条、２７．３  トラバースバー、２８  フレキシブル回路パッド、２８．１  凹部
【発明を実施するための形態】
【００２９】
次に、図面を併せて本発明をさらに詳しく説明する。
【００３０】
図１〜図３を参照して、本発明の実施例１に係る半自動化フレキシブル回路コネクタは、リード線６と、ストレインリリーフ７と、上側ハウジング１と、下側ハウジング２と、挿入スナップ部４と、を備え、上側ハウジング１にボタンホール１．１が設けられ、ボタンホール１．１にボタン３が設けられている。下側ハウジング２に回路基板５が設置され、回路基板５の頂面に弾性シート５．１が設置され、回路基板５はリード線６の一端に接続されている。挿入スナップ部４が回路基板５の上方に設置され、挿入スナップ部４にフレキシブル回路パッド８を挿入する凹部が設置され、挿入スナップ部４に二本の弾性アーム４．１が平行に設置され、各弾性アーム４．１の自由端にスナップ鉤４．１．１が設置されている。フレキシブル回路パッド８を挿入スナップ部４の凹部に挿入する場合、二つのスナップ鉤４．１．１はフレキシブル回路パッド８の凹部８．１内にスナップフィットし、フレキシブル回路パッド８をスナップフィットして固定させ、フレキシブル回路パッド８の底面は回路基板５の頂面における弾性シート５．１に密着させ、フレキシブル回路パッド８とリード線６とを電気的に接続させる。フレキシブル回路パッド８を取出す場合、ボタン３を押下し、二本の弾性アーム４．１を下方に湾曲させ、挿入スナップ部５における二つのスナップ鉤４．１．１をフレキシブル回路パッド８の凹部８．１から離脱させる。
【００３１】
具体的には、前記挿入スナップ部４はプラスチックで射出成形によって形成された一体構造であり、挿入スナップ部４に二本の固定アーム４．２が設置され、固定アーム４．２は弾性アーム４．１に平行し、固定アーム４．２は弾性アーム４．１より高く設置される。挿入スナップ部４の凹部は固定アーム４．２と弾性アーム４．１との間に形成されている。スナップ鉤４．１．１に近接し、スナップ鉤４．１．１の外側に位置する突出部４．１．２は各弾性アーム４．１の自由端の頂面に設置されている。ボタン３の底部にボタン円柱３．１が設置され、ボタン３が押下された場合、ボタン円柱３．１は下方に位置する弾性アーム４．１の自由端における突出部４．１．２を下方へ押さえ、弾性アーム４．１を下方に湾曲させ、弾性アーム４．１におけるスナップ鉤４．１．１をフレキシブル回路パッド８の凹部８．１から離脱させ、即ちフレキシブル回路パッド８を取り出す。
【００３２】
挿入スナップ部４の後端に弾性アーム４．１の固定端の頂部に連結する二本のリブ４．４が対称に設置され、二本のリブ４．４は上側ハウジング１内に位置する上側凹溝に嵌合して固定させ、挿入スナップ部４において弾性アーム４．１の下方の底部に二本の円弧状固定ストリップ４．３が対称に設置され、二本の円弧状固定ストリップ４．３は下側ハウジング２内に位置する下側凹溝に嵌合して固定させる。
【００３３】
回路基板５におけるリード線６に接続した回路に抵抗が設置され、抵抗の抵抗値は１０００オームであることによって、細動除去の機能を有する。
【００３４】
上側ハウジング１の両側にそれぞれ上側ハウジング１の滑り止め溝が設置され、下側ハウジング２の両側にそれぞれ下側ハウジング２の滑り止め溝が設置されていることによって、フレキシブル回路コネクタとユーザの手との把持力を増加させ、ユーザが操作する時、フレキシブル回路コネクタをしっかりと把持することができることを確保した。
【００３５】
図４〜図６を参照して、本発明の実施例２に係る半自動化フレキシブル回路コネクタは、リード線２６と、上側ハウジング２１と、下側ハウジング２２と、挿入スナップ部と、を備え、上側ハウジング２１にボタンホール２１．１が設けられ、ボタンホール２１．１にボタン２３が設けられている。下側ハウジング２２に回路基板２５が設置され、回路基板２５の頂面に弾性シート２５．１が設置され、回路基板２５はリード線２６の一端に接続されている。挿入スナップ部が回路基板２５の上方に設置され、挿入スナップ部は、別体構造であり、上側挿入スナップ部２４と、下側挿入スナップ部２７と、を備え、上側挿入スナップ部２４と下側挿入スナップ部２７とがスナップフィットで連結され、上側挿入スナップ部２４と下側挿入スナップ部２７との間にフレキシブル回路パッド２８を挿入する凹部２８．１が形成されている。
【００３６】
具体的には、前記上側挿入スナップ部２５とボタン２３とは連結されて一体構造となり、下側挿入スナップ部２７に二本の弾性アーム２７．１が平行に設置され、二本の弾性アーム２７．１と上側挿入スナップ部２４との間にフレキシブル回路パッド２８を挿入する凹部２８．１が形成されている。各弾性アーム２７．１の自由端の頂面にスナップ鉤２７．１．２が設置され、スナップ鉤２７．１．２に近接し、スナップ鉤２７．１．２の外側に位置する突出部２７．１．１は各弾性アーム２７．１の自由端の頂面に設置され、上側挿入スナップ部２４の前端の底部にプレスポスト２４．１が設置されている。フレキシブル回路パッド２８はフレキシブル回路パッド２８を挿入する前記凹部に挿入される場合、二つのスナップ鉤２７．１．２はフレキシブル回路パッド２８の凹部２８．１に係合され、フレキシブル回路パッド２８をスナップフィットして固定させ、フレキシブル回路パッド２８の底面は回路基板２５の頂面における弾性シート２５．１に密着させ、フレキシブル回路パッド２８はリード線２６と導通させる。フレキシブル回路パッド８を取出す場合、ボタン３を押下し、プレスポスト２４．１は下方に位置する弾性アームの自由端における突出部２７．１．１を下方へ押さえ、弾性アーム２７．１を下方に湾曲させる。弾性アーム２７．１におけるスナップ鉤２７．１．２をフレキシブル回路パッド２８の条溝２８．１から離脱させ、即ちフレキシブル回路パッド２８を取り出す。
【００３７】
前記上側挿入スナップ部２４の後部に二本の連結バー２４．２が平行に設置され、各連結バー２４．２の頂面に固定突出部２４．２．２が設置され、二つの固定突出部２４．２．２を上側ハウジング２１に位置する上側凹溝に嵌合して固定させ、各連結バー２４．２の底面に条溝２４．２．１が設置されている。下側挿入スナップ部２７の後部における二本の固定バー２７．２がそれぞれ前記二本の弾性アーム２７．１の固定端に連結され、二本の固定バー２７．２の間に一本のトラバースバー２７．３によって連結されている。各固定バー２７．２の頂面に条溝２４.２.１に対応する凸条２７．２．１が設置され、下側挿入スナップ部２７の凸条２７．２．１は上側挿入スナップ部２４の条溝２４.２.１を嵌合してスナップフィットされ、各固定バー２７．２は下側ハウジング２２の下側凹溝に嵌合して固定される。
【００３８】
前記上側挿入スナップ部２５とボタン２３とはプラスチックで射出成形によって形成された一体構造であり、下側挿入スナップ部２７はプラスチックで射出成形によって形成された独立部材である。
【００３９】
回路基板２５におけるリード線２６に接続した回路に抵抗が設置され、抵抗の抵抗値は１０００オームであることによって、細動除去の機能を有する。
【００４０】
上側ハウジング２１の両側にそれぞれ上側ハウジング２１の滑り止め溝が設置され、下側ハウジング２２の両側にそれぞれ下側ハウジング２２の滑り止め溝が設置されていることによって、フレキシブル回路コネクタとユーザの手との把持力を増加させ、ユーザが操作する時、フレキシブル回路コネクタをしっかりと把持することができることを確保した。
【００４１】
図７及び図８に示すように、本発明の実施例に係る半自動化フレキシブル回路コネクタは、回路基板とリード線とを接続する回路に細動除去のための抵抗３２が設置され、細動除去のための抵抗３２の抵抗値は１０００オームであり、細動除去のための抵抗３２が回路基板の底面に設置されることによって、細動除去の機能を達成することができる。図７及び図８に示す矢印方向は、細動除去の高圧方向であり、抵抗を介して降圧する過程である。図７に示す接触端子３１にフレキシブル回路パッドに接触する弾性シートが設置されている。
【００４２】
上記説明は限定するものではなく、本発明は詳細な実施形態に限定されていない。当業者にとって依然として各前記実施例に記載された技術的解決手段を変更、修正、追加、または置換してもよく、これらは本発明の保護範囲を逸脱しない。
【図１】
2019536195.tif 000003
【図２】
2019536195.tif 000004
【図３】
2019536195.tif 000005
【図４】
2019536195.tif 000006
【図５】
2019536195.tif 000007
【図６】
2019536195.tif 000008
【図７】
2019536195.tif 000009
【図８】
2019536195.tif 000010
【手続補正書】
【提出日】令和1年5月17日(2019.5.17)
【手続補正１】
【補正対象書類名】明細書
【補正対象項目名】００３０
【補正方法】変更
【補正の内容】
【００３０】
図１〜図３を参照して、本発明の実施例１に係る半自動化フレキシブル回路コネクタは、リード線６と、ストレインリリーフ７と、上側ハウジング１と、下側ハウジング２と、挿入スナップ部４と、を備え、上側ハウジング１にボタンホール１．１が設けられ、ボタンホール１．１にボタン３が設けられている。下側ハウジング２に回路基板５が設置され、回路基板５の頂面に弾性シート５．１が設置され、回路基板５はリード線６の一端に接続されている。挿入スナップ部４が回路基板５の上方に設置され、挿入スナップ部４にフレキシブル回路パッド８を挿入する凹部が設置され、挿入スナップ部４に二本の弾性アーム４．１が平行に設置され、各弾性アーム４．１の自由端にスナップ鉤４．１．１が設置されている。フレキシブル回路パッド８を挿入スナップ部４の凹部に挿入する場合、二つのスナップ鉤４．１．１はフレキシブル回路パッド８の凹部８．１内にスナップフィットし、フレキシブル回路パッド８をスナップフィットして固定させ、フレキシブル回路パッド８の底面は回路基板５の頂面における弾性シート５．１に密着させ、フレキシブル回路パッド８とリード線６とを電気的に接続させる。フレキシブル回路パッド８を取出す場合、ボタン３を押下し、二本の弾性アーム４．１を下方に湾曲させ、挿入スナップ部４における二つのスナップ鉤４．１．１をフレキシブル回路パッド８の凹部８．１から離脱させる。 
【手続補正２】
【補正対象書類名】明細書
【補正対象項目名】００３６
【補正方法】変更
【補正の内容】
【００３６】
具体的には、前記上側挿入スナップ部２４とボタン２３とは連結されて一体構造となり、下側挿入スナップ部２７に二本の弾性アーム２７．１が平行に設置され、二本の弾性アーム２７．１と上側挿入スナップ部２４との間にフレキシブル回路パッド２８を挿入する凹部２８．１が形成されている。各弾性アーム２７．１の自由端の頂面にスナップ鉤２７．１．２が設置され、スナップ鉤２７．１．２に近接し、スナップ鉤２７．１．２の外側に位置する突出部２７．１．１は各弾性アーム２７．１の自由端の頂面に設置され、上側挿入スナップ部２４の前端の底部にプレスポスト２４．１が設置されている。フレキシブル回路パッド２８はフレキシブル回路パッド２８を挿入する前記凹部に挿入される場合、二つのスナップ鉤２７．１．２はフレキシブル回路パッド２８の凹部２８．１に係合され、フレキシブル回路パッド２８をスナップフィットして固定させ、フレキシブル回路パッド２８の底面は回路基板２５の頂面における弾性シート２５．１に密着させ、フレキシブル回路パッド２８はリード線２６と導通させる。フレキシブル回路パッド８を取出す場合、ボタン３を押下し、プレスポスト２４．１は下方に位置する弾性アーム２７．１の自由端における突出部２７．１．１を下方へ押さえ、弾性アーム２７．１を下方に湾曲させる。弾性アーム２７．１におけるスナップ鉤２７．１．２をフレキシブル回路パッド２８の条溝２８．１から離脱させ、即ちフレキシブル回路パッド２８を取り出す。 
【手続補正３】
【補正対象書類名】明細書
【補正対象項目名】００３８
【補正方法】変更
【補正の内容】
【００３８】
前記上側挿入スナップ部２４とボタン２３とはプラスチックで射出成形によって形成された一体構造であり、下側挿入スナップ部２７はプラスチックで射出成形によって形成された独立部材である。
【国際調査報告】
2019536195.tif 000011
2019536195.tif 000012
2019536195.tif 000013
2019536195.tif 000014